(57)【要約】【課題】  通信機能を有する家電機器に対してユーザの関与なく通信パラメータの設定を行う。【解決手段】  パラメータ設定装置１０１のメモリカードインタフェース１０１４が、メモリカード２１０から、ネットワークに接続している他の家電機器に設定されているＩＰアドレスの情報とネットワークアドレスの情報を入力し、情報解析部１０１１が、ネットワークアドレスに包含されるアドレスのうち他の家電機器に設定されていないＩＰアドレスを選択し、選択されたＩＰアドレスを情報読出・書込部１０１２が情報記憶部１０１５に設定情報１０１６として設定することにより、ユーザの関与なく通信パラメータの設定を行う。【選択図】        図２
2006229662.tif 000002
【特許請求の範囲】
【請求項１】
ネットワークに未接続の未接続通信機器に対して通信パラメータの設定を行うパラメータ設定装置であって、
前記ネットワークに接続している他の通信機器に設定されている通信パラメータの情報を設定済パラメータ情報として記憶している記憶媒体から、設定済パラメータ情報を入力する記憶媒体入力部と、
前記記憶媒体入力部により入力された設定済パラメータ情報に基づいて、前記未接続通信機器に設定する通信パラメータを決定するパラメータ決定部と、
前記パラメータ決定部により決定された通信パラメータを前記未接続通信機器に対して設定するパラメータ設定部とを有することを特徴とするパラメータ設定装置。
【請求項２】
前記記憶媒体入力部は、
前記設定済パラメータ情報として、前記ネットワークに接続している他の通信機器に設定されている設定済通信アドレスを示す情報を前記記憶媒体から入力し、
前記パラメータ決定部は、
設定済パラメータ情報に示された設定済通信アドレスに基づいて、前記未接続通信機器に設定する通信アドレスを決定することを特徴とする請求項１に記載のパラメータ設定装置。
【請求項３】
前記パラメータ決定部は、
前記ネットワークのネットワークアドレスに包含される通信アドレスのうち前記設定済通信アドレス以外の通信アドレスを、前記未接続通信機器の通信アドレスとして決定することを特徴とする請求項２に記載のパラメータ設定装置。
【請求項４】
前記パラメータ設定装置は、更に、
前記通信パラメータ決定部により決定された未接続通信機器の通信パラメータを前記記憶媒体に書き込む記憶媒体出力部を有することを特徴とする請求項２に記載のパラメータ設定装置。
【請求項５】
前記パラメータ設定装置は、更に、
前記未接続通信機器の属性を示す属性情報を記憶している属性情報記憶部を有し、
前記記憶媒体出力部は、
前記記憶媒体に未接続通信機器の通信パラメータを書き込むとともに、前記属性情報記憶部に記憶されている属性情報を前記記憶媒体に書き込むことを特徴とする請求項４に記載のパラメータ設定装置。
【請求項６】
前記属性情報記憶部は、
属性情報として、前記未接続通信機器のＭＡＣ（Ｍｅｄｉａ  Ａｃｃｅｓｓ  Ｃｏｎｔｒｏｌ）アドレス、前記未接続通信機器のメーカー名、前記未接続通信機器のモデル名、前記未接続通信機器の外観イメージのうちの少なくともいずれかの情報を記憶し、
前記記憶媒体出力部は、
前記属性情報記憶部に記憶されている前記未接続通信機器のＭＡＣアドレス、前記未接続通信機器のメーカー名、前記未接続通信機器のモデル名、前記未接続通信機器の外観イメージのうちの少なくともいずれかの情報を前記記憶媒体に書き込むことを特徴とする請求項５に記載のパラメータ設定装置。
【請求項７】
前記属性情報記憶部は、
属性情報として、前記未接続通信機器のユーザが前記未接続通信機器に対して名付けた前記未接続通信機器の名前の情報を記憶し、
前記記憶媒体出力部は、
前記属性情報記憶部に記憶されている前記未接続通信機器の名前の情報を前記記憶媒体に書き込むことを特徴とする請求項５に記載のパラメータ設定装置。
【請求項８】
前記記憶媒体入力部は、
前記記憶媒体から設定済パラメータ情報を入力するとともに、前記ネットワークに接続している他の通信機器の属性を示す接続機器属性情報を前記記憶媒体から入力し、
前記パラメータ設定装置は、更に、
前記記憶媒体入力部により入力された設定済パラメータ情報と接続機器属性情報とを記憶する接続機器情報記憶部とを有することを特徴とする請求項１に記載のパラメータ設定装置。
【請求項９】
前記パラメータ設定装置は、更に、
設定済パラメータ情報に示された前記ネットワークに接続している他の通信機器に設定されている通信アドレスを用いて、前記未接続通信機器と他の通信機器との間の疎通確認を行う疎通確認部を有することを特徴とする請求項２に記載のパラメータ設定装置。
【請求項１０】
前記記憶媒体出力部は、
前記疎通確認部による疎通確認の結果、いずれかの通信機器が前記未接続通信機器との通信が不能であると確認された場合に、前記未接続通信機器との通信が不能である通信機器の少なくとも通信アドレスを前記記憶媒体に書き込むことを特徴とする請求項９に記載のパラメータ設定装置。
【請求項１１】
前記パラメータ設定装置は、
家電ネットワークに接続可能な、通信機能を有する家電機器に対して通信パラメータの設定を行うことを特徴とする請求項１に記載のパラメータ設定装置。
【請求項１２】
ネットワークに未接続の未接続通信機器に対して通信パラメータの設定を行うパラメータ設定方法であって、
前記ネットワークに接続している他の通信機器に設定されている通信パラメータの情報を設定済パラメータ情報として記憶している記憶媒体から、設定済パラメータ情報を入力する記憶媒体入力ステップと、
前記記憶媒体入力ステップにより入力された設定済パラメータ情報に基づいて、前記未接続通信機器に設定する通信パラメータを決定するパラメータ決定ステップと、
前記パラメータ決定ステップにより決定された通信パラメータを前記未接続通信機器に対して設定するパラメータ設定ステップとを有することを特徴とするパラメータ設定方法。
【請求項１３】
ネットワークに未接続の未接続通信機器に対する通信パラメータの設定をコンピュータに実行させるプログラムであって、
前記ネットワークに接続している他の通信機器に設定されている通信パラメータの情報を設定済パラメータ情報として記憶している記憶媒体から、設定済パラメータ情報を入力する記憶媒体入力処理と、
前記記憶媒体入力処理により入力された設定済パラメータ情報に基づいて、前記未接続通信機器に設定する通信パラメータを決定するパラメータ決定処理と、
前記パラメータ決定処理により決定された通信パラメータを前記未接続通信機器に対して設定するパラメータ設定処理とをコンピュータに実行させることを特徴とするプログラム。
【発明の詳細な説明】
【技術分野】
【０００１】
本発明は、ネットワークに未接続の未接続通信機器に対して通信パラメータを設定する技術に関し、たとえば、家電ネットワークに未接続の通信機能を有する家電機器に対して通信パラメータを設定する技術に関する。
【背景技術】
【０００２】
家電機器において、ネットワークに接続して、お互いに連携した動作を行うことが考えられている。家電機器においては、従来のパソコンユーザのように、ネットワークに関する知識を十分備えたユーザがこれらの機器の設定を行うとは限らないため、誰でも容易に設定することができる必要がある。
【０００３】
ネットワーク機器をネットワークに接続するためには、各々の機器に対して適切な通信パラメータ（ＩＰアドレス、ネットワークアドレス）を割り振る必要があり、そのためにはネットワークに関する知識が必要である。これを解決するために、各機器のネットワーク設定を自動で行なうＤＨＣＰ（Ｄｙｎａｍｉｃ  Ｈｏｓｔ  Ｃｏｎｆｉｇｕｒａｔｉｏｎ  Ｐｒｏｔｏｃｏｌ）では、各機器が起動時にブロードキャストを使ってＤＨＣＰサーバと通信してネットワーク情報を受け取る。（例えば、非特許文献１）。また、メモリカードにあらかじめネットワーク設定情報を書き込んでおき、機器にそれを読み込ませることによって、設定する方法も提案されている（例えば、特許文献１）。
【特許文献１】特開２００４−３２２３３号公報  第１９頁、第１図
【非特許文献１】ＲＦＣ２１３１  Ｄｙｎａｍｉｃ  Ｈｏｓｔ  Ｃｏｎｆｉｇｕｒａｔｉｏｎ  Ｐｒｏｔｏｃｏｌ  （ｈｔｔｐ：／／ｗｗｗ．ｉｅｔｆ．ｏｒｇ／ｒｆｃ／ｒｆｃ２１３１．ｔｘｔ？ｎｕｍｂｅｒ＝２１３１）
【発明の開示】
【発明が解決しようとする課題】
【０００４】
しかし、上記のＤＨＣＰサーバを用いる場合、別途ＤＨＣＰサーバを購入する必要があり、また、ＤＨＣＰを動作させるための適切な設定を行わなければならず、そのためにはネットワークの知識が必要である。メモリカードからパラメータを読み込ませる場合でも、メモリカードに適切なパラメータを設定する必要があり、そのためにはネットワークに関する知識が必要であるとともに、システム構成（どのような機器をネットワークに接続しているか、従来の機器のパラメータは何が設定されているか）も把握している人間が行う必要があった。
【０００５】
さらに、ネットワーク構成をユーザが確認する場合、ＭＡＣ（Ｍｅｄｉａ  Ａｃｃｅｓｓ  Ｃｏｎｔｒｏｌ）アドレスやＩＰアドレスと言ったパラメータでのみしか確認できず、接続されている機器を一般の人が直感的に判断できないという問題がある。
【０００６】
また、エラーなどが発生し、設定がうまくいかなかった場合、何が原因であるかを理解するためにはネットワークの知識が必要である。
【０００７】
この発明は上記のような問題点を解決することを主な目的とし、第１の主な目的は、ネットワーク設定に関する知識を持たないユーザが、メモリカードなどの記憶媒体を機器に抜き差しするだけで、機器側で自動的にパラメータを選択して機器に設定することを可能とする。第２の主な目的は、ユーザがネットワークに接続されている機器を確認する際に、機器のモデル名や外観の写真等を表示することにより、ユーザにとって理解しやすい形態でネットワーク構成を表示可能とする。第３の主な目的は、エラーなどが発生したときに、その内容をメモリカードなどの記憶媒体に自動的に書き込み、メモリカードの内容を専門知識を持った人間が見ることにより、障害の原因を特定することを可能にする。
【課題を解決するための手段】
【０００８】
本発明に係るパラメータ設定装置は、
ネットワークに未接続の未接続通信機器に対して通信パラメータの設定を行うパラメータ設定装置であって、
前記ネットワークに接続している他の通信機器に設定されている通信パラメータの情報を設定済パラメータ情報として記憶している記憶媒体から、設定済パラメータ情報を入力する記憶媒体入力部と、
前記記憶媒体入力部により入力された設定済パラメータ情報に基づいて、前記未接続通信機器に設定する通信パラメータを決定するパラメータ決定部と、
前記パラメータ決定部により決定された通信パラメータを前記未接続通信機器に対して設定するパラメータ設定部とを有することを特徴とする。
【発明の効果】
【０００９】
本発明によれば、パラメータ設定装置が、記憶媒体から読み込んだ設定済パラメータ情報に基づいて未接続通信機器に設定可能な通信パラメータを選択し、選択した通信パラメータを未接続通信機器に設定するため、ユーザとしては、パラメータ設定装置に記憶媒体の内容を読み込ませるだけで、未接続通信装置の通信パラメータの設定が完了するため、ユーザの利便性を向上させることができる。
【発明を実施するための最良の形態】
【００１０】
実施の形態１．
図１は、本実施の形態に係るパラメータ設定装置を組み込んだ機器を、ネットワークで接続した構成を示す。図１では、パラメータ設定装置を搭載する機器を、通信機能を有する家電機器としているが、通信機能を有する機器であればよく、家電機器に限定されない。図１では、ネットワーク１０２に家電機器１０３〜１０８が接続されている。家電機器１０３〜１０８は、それぞれ、パラメータ設定装置１０１を備えている。
【００１１】
図２は、図１におけるパラメータ設定装置１０１を備えた各家電機器１０３〜１０８の内部構成を示す。図２では、ネットワーク１０２に家電機器（既存機器）２０１および家電機器（新規接続機器）２０２が接続されている。家電機器（既存機器）２０１は、ネットワーク１０２に接続済の家電機器であり、既に通信パラメータ（ＩＰアドレス、ネットワークアドレス）が設定されている。家電機器（新規接続機器）２０２は、ネットワーク１０２に未接続の家電機器であり、通信パラメータ（ＩＰアドレス、ネットワークアドレス）が未設定である。家電機器（新規接続機器）２０２は、未接続装置の例である。家電機器（既存機器）２０１および家電機器（新規接続機器）２０２の各々の内部には、パラメータ設定装置１０１が配置されている。
【００１２】
パラメータ設定装置１０１は、情報解析部１０１１、情報読出・書込部１０１２、疎通確認部１０１３、メモリカードインタフェース１０１４、情報記憶部１０１５を備える。
【００１３】
情報解析部１０１１は、メモリカードインタフェース１０１４が読み出したメモリカードの情報に基づき、家電機器（新規接続機器）に設定する通信パラメータを決定し、また、メモリカードの情報の解析などを行う。情報解析部１０１１は、パラメータ決定部の例である。
【００１４】
情報読出・書込部１０１２は、情報解析部１０１１が決定した通信パラメータを設定情報１０１６として情報記憶部１０１５に書き込み、また、メモリカードインタフェース１０１４よりメモリカードに情報の書き込みを行わせるため、情報記憶部１０１５の設定情報１０１６、自機器情報１０１７などを読み出す。情報読出・書込部１０１２は、パラメータ設定部の例である。
【００１５】
疎通確認部１０１３は、家電機器（新規接続機器）に通信パラメータが設定された際に、既にネットワークに接続されている他の家電機器との間の疎通確認を行う。
【００１６】
メモリカードインタフェース１０１４は、記憶媒体たるメモリカードとの間で情報の入出力を行う。メモリカードインタフェース１０１４は、記憶媒体入力部及び記憶媒体出力部の例である。
【００１７】
情報記憶部１０１５は、設定情報１０１６、自機器情報１０１７、名前情報１０１８、接続機器情報１０１９を記憶する。情報記憶部１０１５は、属性情報記憶部及び接続機器情報記憶部の例である。設定情報１０１６は、パラメータ設定装置が搭載されている家電機器（以下、自機器ともいう）のＩＰアドレスとネットワークアドレスの情報である。自機器情報１０１７は、自機器のＭＡＣアドレス、自機器の種類（テレビやＤＶＤレコーダといった機器の種類）、自機器のメーカー名、自機器のモデル名、自機器の外観写真のデータ（外観イメージ）と言った自機器に関する情報である、名前情報１０１８は、家電機器のユーザが当該家電機器に名付けた家電機器の名前を示す情報である。接続機器情報１０９は、ネットワークに接続されている他の家電機器に関する情報である。なお、家電機器（新規接続機器）２０２は、未接続状態なので、パラメータ設定装置１０１の情報記憶部１０１５には、自機器情報１０１７及び名前情報１０１８のみが記憶されており、設定情報１０１６及び接続機器情報１０１９は、いまだ存在していない。なお、設定情報１０１６、名前情報１０１８、接続機器情報１０１９は書き換え可能なデータである。
【００１８】
図３は、図２におけるメモリカード２１０に記録されるデータの内容を示す。接続機器情報３０１は、ネットワークに接続されている機器のＭＡＣアドレス、ＩＰアドレス、機器の種類、機器のメーカー名、そのメーカーにおける機器のモデル名、機器の外観写真、ユーザが自由につけることができる名前からなる情報である。ここで、接続機器情報３０１に含まれるＩＰアドレスの情報は、設定済パラメータ情報の例である。
【００１９】
また、メモリカード２１０には、機器を接続しているネットワークのネットワークアドレス３０２、設定時のエラー内容を示すエラーログファイル３０３が含まれる。
【００２０】
次に動作について説明する。
【００２１】
図１の家庭内のネットワーク１０２に既に家電機器が接続されており、ここに新たに機器を接続するケースを想定する。図２の２０１が既に設置されている既存機器、２０２が新たに接続する機器である。既に設置されている既存機器では、パラメータ設定装置１０１に、設定情報１０１６（ＩＰアドレス、ネットワークアドレス）、自機器情報１０１７（ＭＡＣアドレス、機器の種類、メーカー、モデル名、外観写真）、名前情報１０１８（ユーザがつけた名前）、接続機器情報１０１９（図３の接続機器情報３０１：既に設置されている他の機器の情報）を保持している。
【００２２】
メモリカード２１０は、未使用状態、あるいは既に使用されて図３に示すような設定情報が書き込まれている状態がある。
【００２３】
機器の状態とメモリカードの状態の組み合わせにより以下の４通りの場合がある。
１）既に接続機器情報３０１、ネットワークアドレス３０２（及びエラーログファイル３０３）が書き込まれているメモリカードを新規に接続する機器に挿入する（既に通信パラメータ設定済みの機器が接続されているネットワークに、新しく買ってきた機器を接続する場合に相当）。
２）既に接続機器情報３０１、ネットワークアドレス３０２（及びエラーログファイル３０３）が書き込まれているメモリカードを通信パラメータ設定済みの機器に挿入する。ただし、メモリカードを挿入する機器の情報はメモリカード上には存在しない（中古で買ってきた設定情報が残っている機器を接続する場合に相当、あるいは機器の再設定を行う場合に相当）。
３）既に接続機器情報３０１、ネットワークアドレス３０２（及びエラーログファイル３０３）が書き込まれているメモリカードを通信パラメータ設定済みの機器に挿入する。ただし、メモリカードを挿入する機器の情報がメモリカード上に既に存在する（新たに通信パラメータを設定した別の機器の情報を既存の機器に反映させる場合に相当。１）や２）の実施後に既存機器に対して行う）。
４）未使用状態のメモリカードを通信パラメータ設定済みの機器に挿入する（メモリカードを紛失して購入しなおした場合など）。
５）未使用状態のメモリカードを、新規に通信パラメータを設置する機器に挿入する（ネットワークに１台目の機器を設置する場合）。
【００２４】
以下、それぞれの場合ついての動作を図２〜図４を用いて説明する。図４は、パラメータ設定装置の動作例を示すのフローチャートである。
【００２５】
上記１）の場合、図２における新規に設置する機器のパラメータ設定装置１０１のメモリカードインタフェース１０１４にメモリカード２１０を挿し込む。パラメータ設定装置１０１は、メモリカードインタフェース１０１４を介してメモリカード２１０の内容を読み込み、図４のフローチャートに従って動作する。
【００２６】
処理Ｓ４０１で、情報解析部１０１１は、メモリカードインタフェース１０１４が読み出したメモリカード２１０の情報を解析し、メモリカード２１０に接続機器情報３０１が存在するか否かを判断する。接続機器情報３０１が存在すると判断すると（Ｓ４０１でＮＯ）、処理Ｓ４０２でメモリカード上の接続機器情報３０１の中に自機器の情報（ＭＡＣアドレスのエントリ）があるかどうかを調べる。１）のケースでは自機器の情報はメモリカード上には無いので（Ｓ４０２でＮＯ）、処理Ｓ４０３において、情報解析部１０１１は、メモリカードに含まれる接続機器情報３０１及びネットワークアドレス３０２から、ネットワークアドレスに包含されるＩＰアドレスのうち接続機器情報３０１において他の機器用のＩＰアドレスとして表示されていないＩＰアドレスを選択する。つまり、他の機器が使用していないＩＰアドレスを選択する。そして、情報読出・書込部１０１２が、情報解析部１０１１により選択されたＩＰアドレスを情報記憶部１０１５に設定情報１０１６として書き込むことにより、ＩＰアドレス（通信パラメータ）の設定を行う。
【００２７】
次に、処理Ｓ４０４において、情報読出・書込部１０１２が、情報記憶部１０１５から設定情報１０１６、自機器情報１０１７、名前情報１０１８を読み出し、メモリカードインタフェース１０１４が、これら設定情報１０１６、自機器情報１０１７、名前情報１０１８をメモリカード２１０の接続機器情報３０１に書き込む。
【００２８】
次に、処理Ｓ４０５において、メモリカードインタフェース１０１４が、メモリカード２１０から接続機器情報３０１を読み出し、情報読出・書込部１０１２が、情報記憶部１０１５に、接続機器情報１０１９として書き込む。
【００２９】
上記２）の場合は、上記１）の場合と同じ処理を行う。
【００３０】
上記３）の場合、図２の既存機器２０１のパラメータ設定装置１０１のメモリカードインタフェース１０１４にメモリカード２１０を挿入する。
【００３１】
図４のフローチャートの処理では、処理Ｓ４０１において、情報解析部１０１１が、メモリカード２１０に接続機器情報３０１が書き込まれていると判断すると、処理Ｓ４０２において、自機器の情報（ＭＡＣアドレス）が接続機器情報３０１に存在することを確認する（Ｓ４０２でＹＥＳ）。そして、処理Ｓ４１０において、メモリカード上の自機器のＩＰアドレスを情報記憶部１０１５の設定情報１０１６に設定し、処理Ｓ４１１において、自機器情報１０１７、名前情報１０１８をメモリカード上の接続機器情報３０１の自機器のエントリに書き込む。そして、処理Ｓ４０５において、メモリカード上の接続機器情報３０１を自機器内の情報記憶部１０１５に接続機器情報１０１９として書き込む。
【００３２】
上記４）の場合、図２の既存機器２０１のパラメータ設定装置１０１のメモリカードインタフェース１０１４にメモリカード２１０を挿入する。
【００３３】
図４のフローチャートの処理において、処理Ｓ４０１において、情報解析部１０１１が、初期状態のメモリカードであると判断すると、処理Ｓ４２０において、情報記憶部１０１５に設定情報１０１６が記憶されているか否か、すなわち、通信パラメータ（ＩＰアドレス）が設定済みか否かを判断する。上記４）の場合は設定済みであるので、処理Ｓ４３０において、接続機器情報１０１９の内容をメモリカード上の接続機器情報３０１に書き込み、設定情報１０１６の中のネットワークアドレスをメモリカード上のネットワークアドレス３０２へ書き込む。
【００３４】
上記５）の場合、図２の新規接続機器２０２のパラメータ設定装置１０１のメモリカードインタフェース１０１４に未使用のメモリカード２１０を挿入する。
【００３５】
図４のフローチャートの処理において、処理Ｓ４０１において、初期状態のメモリカードであると判断すると、処理Ｓ４２０で自機器に通信パラメータが未設定であると判断し、処理Ｓ４２１において、任意のプライベートネットワークアドレス（例えば１９２．１６８．１）を選択し、メモリカード上のネットワークアドレス３０２に書き込み、そのネットワーク内のホストアドレスを自機器用に選択し、自機器の設定情報１０１６に設定する。そして、処理Ｓ４０４において、設定情報１０１６、自機器情報１０１７、名前情報１０１８をメモリカード上の接続機器情報３０１に書き込み、処理Ｓ４０５でメモリカード上の接続機器情報３０１を自機器内の情報記憶部１０１５に接続機器情報１０１９として設定する。
【００３６】
以上の設定が完了した後、パラメータ設定装置１０１の疎通確認部１０１３は、通信パラメータの設定が正しく行われているかどうかテストを行う。図５はそのフローチャートである。
【００３７】
疎通確認部１０１３は、処理Ｓ５０１でメモリカード上の接続機器情報３０１から、エントリを読み込み、処理Ｓ５０２でエントリがあると判断したら、処理Ｓ５０３でそのエントリのＩＰアドレスに対してＩＣＭＰ（Ｉｎｔｅｒｎｅｔ  Ｃｏｎｔｒｏｌ  Ｍｅｓｓａｇｅ  Ｐｒｏｔｏｃｏｌ）のｅｃｈｏコマンドを発行し、家電機器の通信機能を用いてｅｃｈｏコマンドを送信し、疎通確認を行う。処理Ｓ５０４でエラーが発生しないと判断したら、処理Ｓ５０５で次のエントリを読み込み処理Ｓ５０２へ戻る。処理Ｓ５０４でエラーが発生したときは、処理Ｓ５１０で自機器と相手機器の、ＩＰアドレス、ＭＡＣアドレス、機器のメーカー名、モデル名、エラーの内容をメモリカードのエラーログファイル３０３に書き込む。処理Ｓ５１０が終わったら、処理Ｓ５０５に移り次のエントリを読み込み、処理Ｓ５０２へ戻る。
以上のような、パラメータ設定装置を備えることにより、以下の事が可能となる。
【００３８】
既存機器が存在するネットワークに新規に機器を追加したとき、パラメータ設定装置が新規機器のネットワークパラメータの設定を行うため、ユーザとしては、メモリカードなどの記憶媒体をパラメータ設定装置に差し込むだけで、自動的にパラメータの設定が完了することになり、ユーザが手動でパラメータを設定する必要がない。このため、ネットワーク設定に関する十分な知識を有さないユーザであっても容易に未接続の家電機器のネットワーク接続を行うことができる。
【００３９】
新規に追加した機器の情報の更新もパラメータ設定装置が行うため、新規に追加した機器の情報を既存機器に反映させることができ、ユーザとしては、メモリカードなどの記憶媒体をパラメータ設定装置に差し込むだけで、自動的に新規機器のパラメータ情報を既存機器に反映させることができ、ユーザが手動でパラメータ情報を更新する必要がない。このため、ネットワーク設定に関する十分な知識を有さないユーザであっても容易に新規機器のパラメータ情報を既存機器に反映させることができる。
【００４０】
既存機器がないネットワークに新規に機器を導入する場合、パラメータ設定装置が新規機器のネットワークパラメータの設定を行うため、ユーザとしては、メモリカードなどの記憶媒体をパラメータ設定装置に差し込むだけで、自動的にパラメータの設定が完了することになり、ユーザが手動でパラメータを設定する必要がない。このため、ネットワーク設定に関する十分な知識を有さないユーザであっても容易に新規の家電機器のネットワーク接続を行うことができる。
【００４１】
機器を修理に出したり、他人に貸したりして設定情報が消されたり変わったりした場合でも、パラメータ設定装置が当該機器のネットワークパラメータの設定を行うため、ユーザが手動でネットワークパラメータを設定する必要がなく、用意に復旧できる。
【００４２】
機器のメーカー名、モデル名、外観写真のデータを持たせる事により、ユーザにわかりやすい接続情報を提供できるようになる。これは、ネットワークに接続された家電機器のメーカー名、モデル名、外観写真のデータが格納されたメモリカードを、例えばユーザが利用するコンピュータに読み込ませ、コンピュータのディスプレイにこれら機器のメーカー名、モデル名、外観写真のデータを表示させることにより、ユーザに各機器の属性情報を提示することができる。
書き換え可能な名前を機器に持たせることにより、ユーザにとってわかりやすい接続情報を提供することができる。
【００４３】
パラメータ設定装置が、パラメータ設定後の接続テストを行うため、ユーザが手動で疎通確認を行う必要がない。
【００４４】
また、パラメータ設定装置が、接続テストの結果をメモリカードに書き込むため、接続テストを行った結果が書き込まれたメモリカードを、専門知識を持った人間がいるサービスセンター等へ持ち込むことにより、サービスセンターの職員が顧客の自宅に出張することなく原因を追究することができる。
【００４５】
なお、以上では、家電機器の内部にパラメータ設定装置１０１が組み込まれている場合について説明したが、パラメータ設定装置１０１を家電機器の外部に配置し、パラメータ設定装置１０１と家電機器とをコネクタ等で接続するようにしてもよい。
【００４６】
前述した各実施の形態で、パラメータ設定装置１０１は、コンピュータで実現できるものである。
【００４７】
図示していないが、パラメータ設定装置１０１は、プログラムを実行するＣＰＵ（Ｃｅｎｔｒａｌ  Ｐｒｏｃｅｓｓｉｎｇ  Ｕｎｉｔ）を備えている。
【００４８】
例えば、ＣＰＵは、バスを介して、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、表示装置、Ｋ／Ｂ（キーボード）、マウス、ＦＤＤ（Ｆｌｅｘｉｂｌｅ  Ｄｉｓｋ  Ｄｒｉｖｅ）、ＣＤＤ（コンパクトディスクドライブ）、磁気ディスク装置、光ディスク装置、プリンタ装置、スキャナ装置等と接続可能である。
【００４９】
ＲＡＭは、揮発性メモリの一例である。ＲＯＭ、ＦＤＤ、ＣＤＤ、磁気ディスク装置、光ディスク装置は、不揮発性メモリの一例である。これらは、記憶装置あるいは記憶部の一例である。
【００５０】
前述した各実施の形態のパラメータ設定装置１０１が扱うデータや情報は、記憶装置あるいは記憶部に保存され、パラメータ設定装置１０１の各部により、記録され読み出されるものである。
【００５１】
磁気ディスク装置には、オペレーティングシステム（ＯＳ）、ウィンドウシステム、プログラム群、ファイル群（データベース）が記憶されている。
【００５２】
プログラム群は、ＣＰＵ、ＯＳ、ウィンドウシステムにより実行される。
【００５３】
上記パラメータ設定装置１０１の各部は、一部或いはすべてコンピュータで動作可能なプログラムにより構成しても構わない。或いは、ＲＯＭに記憶されたファームウェアで実現されていても構わない。或いは、ソフトウェア或いは、ハードウェア或いは、ソフトウェアとハードウェアとファームウェアとの組み合わせで実施されても構わない。
【００５４】
上記プログラム群には、実施の形態の説明において「〜部」として説明した処理をＣＰＵに実行させるプログラムが記憶される。これらのプログラムは、例えば、Ｃ言語やＨＴＭＬやＳＧＭＬやＸＭＬなどのコンピュータ言語により作成される。
【００５５】
また、上記プログラムは、磁気ディスク装置、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体に記憶され、ＣＰＵにより読み出され実行される。
【図面の簡単な説明】
【００５６】
【図１】パラメータ設定装置を含む全体の構成例を示す図。
【図２】パラメータ設定装置の構成例を示す図。
【図３】メモリカードの情報例を示す図。
【図４】パラメータ設定装置の動作例を示す図。
【図５】パラメータ設定装置の動作例を示す図。
【符号の説明】
【００５７】
１０１  パラメータ設定装置、１０２  ネットワーク、１０３  家電機器、１０４  家電機器、１０５  家電機器、１０６  家電機器、１０７  家電機器、１０８  家電機器、２０１  家電機器、２０２  家電機器、１０１１  情報解析部、１０１２  情報読出・書込部、１０１３  疎通確認部、１０１４  メモリカードインタフェース、１０１５  情報記憶部、１０１６  設定情報、１０１７  自機器情報、１０１８  名前情報、１０１９  接続機器情報。
【図１】
2006229662.tif 000003
【図２】
2006229662.tif 000004
【図３】
2006229662.tif 000005
【図４】
2006229662.tif 000006
【図５】
2006229662.tif 000007